(57)【要約】【課題】  本考案は、メモリー空間を節約可能なオーディオプレーヤーを提供する。【解決手段】  オーディオプレーヤーは、ロジックブロック、符号器、第１のメモリー、及び復号器を有する。ロジックブロックは、第１の出力端子及び第２の出力端子を有する。ロジックブロックは、オーディオ信号を符号化するか否かを決定し、及びオーディオ信号を第１の出力端子又は第２の出力端子において相応して出力するために用いられる。符号器は、オーディオ信号を受信するための入力端子を有し、符号化データを生成するために、オーディオ信号を符号化するために用いられる。第１のメモリーは、符号化データを格納するために符号器と結合された第１の入力端子を、及びオーディオ信号を格納するためにロジックブロックの第２の出力端子と結合された第２の入力端子を有する。復号器は、第１のメモリーと結合され、復号化データを生成するために符号化データ又はオーディオ信号を対応する方法で復号するために用いられる。【選択図】      図２
0003130747.tif 000002
【実用新案登録請求の範囲】
【請求項１】
メモリー空間を節約可能なオーディオプレーヤーであって、
第１の出力端子及び第２の出力端子を有し、オーディオ信号を受信し、前記オーディオ信号を符号化するか否かを決定し、及び前記オーディオ信号を前記第１の出力端子又は前記第２の出力端子において相応に出力するために用いられるロジックブロック、
前記ロジックブロックの前記第１の出力端子と結合された入力端子を有し、符号化データを生成するため、前記音声信号を符号化するために用いられる符号器、
前記符号化データを格納するために前記符号器と結合された第１の入力端子、及び前記音声信号を格納するために前記ロジックブロックの前記第２の出力端子と結合された第２の入力端子を有する第１のメモリー、並びに
前記第１のメモリーに格納された前記符号化データ又は前記音声信号を受信し、及び復号化信号を生成するため、前記符号化データ又は前記音声信号を対応する方法で復号する、前記第１のメモリーと結合された復号器、
を有するオーディオプレーヤー。
【請求項２】
前記符号器は、第１の符号化方法に従い前記オーディオ信号を符号化し、及び前記復号器は、前記復号化信号を生成するために、前記第１の符号化方法に従い前記符号化データを復号する、請求項１記載のオーディオプレーヤー。
【請求項３】
前記音声信号は、第２の符号化方法に従い符号化された信号であり、及び前記復号器は、前記復号化信号を生成するために、前記第２の符号化方法に従い前記音声信号を復号する、請求項１記載のオーディオプレーヤー。
【請求項４】
ディスクのデータを読み出すために用いられるピックアップヘッド、並びに
前記ピックアップヘッド及び前記ロジックブロックと結合され、受信データをデジタル形式の前記オーディオ信号に変換し、及び前記オーディオ信号を前記ロジックブロックへ送信するために用いられるアナログフロントエンド回路、
を更に有する、請求項１記載のオーディオプレーヤー。
【請求項５】
前記第１のメモリーは、バッファーである、請求項１記載のオーディオプレーヤー。
【請求項６】
前記第１のメモリーと結合され、データを格納するために用いられる第２のメモリー、を更に有する請求項１記載のオーディオプレーヤー。
【請求項７】
前記第２のメモリーは、同期型ダイナミックランダムアクセスメモリー（ＳＤＲＡＭ）である、請求項６記載のオーディオプレーヤー。
【請求項８】
前記復号器と結合され、前記復号化データをアナログ形式の再生信号に変換するデジタルアナログコンバーター、及び
前記デジタルアナログコンバーターと結合され、前記アナログ形式の前記再生信号を再生するプレーヤー、を更に有する、請求項１記載のオーディオプレーヤー。
【請求項９】
前記オーディオプレーヤーは、データをＣＤ形式及びＭＰ３形式で再生するために用いられるＣＤ−ＭＰ３プレーヤーである、請求項１記載のオーディオプレーヤー。
【請求項１０】
前記符号器は、ＭＰ３（Ｍｏｖｉｎｇ  Ｐｉｃｔｕｒｅ  Ｅｘｐｅｒｔｓ  Ｇｒｏｕｐ  １  Ｌａｙｅｒ−３）符号器であり、及び復号器は、ＭＰ３復号器である、請求項２記載のオーディオプレーヤー。
【請求項１１】
前記符号器は、ＡＤＰＣＭ（適応差分パルス符号変調方式）符号器であり、及び復号器は、ＡＤＰＣＭ復号器である、請求項２記載のオーディオプレーヤー。
【考案の詳細な説明】
【技術分野】
【０００１】
本考案は、オーディオプレーヤーに関連し、より詳細には、符号化後にデータを格納し記憶空間を節約するオーディオプレーヤーに関連する。
【背景技術】
【０００２】
直ちに入手可能なデジタル音楽の出現に伴い、ユーザーは音楽コンテンツの新たな情報源を有する。デジタル音楽コンテンツは、携帯可能な不揮発性記憶素子に格納され得る比較的小さいデジタルファイルに存在する。デジタル音楽の普及により、ＭＰ３プレーヤー（Ｍｏｖｉｎｇ  Ｐｉｃｔｕｒｅｓ  Ｅｘｐｅｒｔ  Ｇｒｏｕｐ，  Ｌａｙｅｒ  ３）のような携帯可能な音楽プレーヤーは、他の種類の音楽プレーヤーと同様に、どこでも見られる。ＭＰ３は、良く知られている、近年、世界を席巻しているオーディオ形式である。更に、ＭＰ３プレーヤーの価格は安価なので、多くの製品がＭＰ３を実装している。多数のオーディオ規格が現在用いられている。ＭＰ３形式に加え、マイクロソフトのＷＭＡ形式、モンキーズオーディオのＡＰＥ形式、及びリアルネットワークスのＲＡ形式がある。これらの形式はＭＰ３形式と競合するが、それらの可用性及び普及はＭＰ３形式と比較にならない。インターネットは、更に火に油を注ぎ、ＭＰ３形式の可用性及び普及を拡張している。
【０００３】
ＭＰ３形式の利点は、余分な部分をオーディオデータから除去する特別なアルゴリズムを利用することにより、オーディオデータが既に圧縮されているので、ファイルがより小さいデータ量を有することである。ＭＰ３音楽の音質は、ＣＤ形式の音質に近く聞こえる。しかし、ＭＰ３形式は、破壊型圧縮に属し、どんなに高いサンプリングレートであってもＣＤ形式と拮抗し得ない。別の有名なオーディオ符号化方法は、パルス符号変調（ＰＣＭ）である。ＰＣＭ符号化は、完全な音質を有するという利点、及びファイルサイズが大きいという不利点を有する。一般のオーディオＣＤは、ＰＣＭ符号化を採用し、約７２分のオーディオデータのみを有する。ＷＭＡ形式は、マイクロソフトにより開発された形式であり、その音質は６４ｋｂｐｓのサンプリングレートではＣＤ形式の音質に近いと明言されている。ＡＰＥ形式は、モンキーズオーディオにより提供され、オーディオ周波数を破壊せず音質を損なわない圧縮技術に属する。また、ＡＰＥ形式は、ＷＡＶ形式の半分の量のデータを有する。しかしながら、ＡＰＥ形式は、過度に長い圧縮／復元時間を有する。限られたネットワーク帯域の下で音楽転送効率を向上するため、ＲＡ形式は、リアルネットワークスにより発表され、他のオーディオ形式と競合している。ネットワーク帯域を完全に利用するアプリケーションのため、圧縮レート及び許容誤差は音質より重視される。従って、ＲＡ形式は、ネットワークで最も一般的なトライアルソフトウェアになっている。
【０００４】
オーディオ及びビデオデータを格納するメモリーの需要は、デジタルオーディオ及びビデオ設備の成長と普及とともに増大する。中でも、フラッシュメモリーは、最も多く出回っているメモリー種類の１つである。フラッシュメモリーは、不揮発性ランダムアクセスメモリー（ＮＶＲＡＭ）の一種であり、フラッシュメモリーに格納されたデータは、素早く変更され得る。
【０００５】
ＭＰ３アプリケーションは、特許文献１及び特許文献２に既に開示されている。一般のデジタル磁気記録／再生機器は、通常、記録手段として磁気テープを利用し、画像ファイル又はオーディオファイルのようなデジタルデータを格納する。しかしながら、磁気テープは効率的に使えない。特許文献１では、デジタル磁気記録／再生機器及び複数種類のオーディオデータを記録又は再生可能な関連方法が、提示されている。この方法は、オーディオ信号を受信した場合、先ず、オーディオ信号のデータ形式を決定する段階を有する。オーディオ信号が一般的なオーディオ信号であり、且つＭＰ３記録が選択された場合、オーディオ信号は、ＭＰ３形式へ変換され、そして磁気テープの残りのブロックに格納されるために固定サイズに圧縮される。オーディオ信号がＭＰ３形式である場合、オーディオ信号は、磁気テープの残りのブロックに格納されるために固定サイズに圧縮される。従って、磁気テープのメモリー空間は、十分に利用される。
【０００６】
特許文献２では、方法は、デジタルシグナルプロセッサーを利用し、ＣＤ−ＲＯＭドライブのディスクからのデジタルオーディオトラックデータをＭＰ３形式データに変換する段階、及びＭＰ３形式データをメモリーカード又はＵＳＢバスを通じて外部ＵＳＢ機器へ格納する段階、を有する。図１を参照する。図１は、従来技術のＭＰ３変換機能を設けられたＣＤプレーヤー１０のブロック図である。ＣＤプレーヤー１０は、ディスク１１のデジタルオーディオトラックデータ（一般的なオーディオ形式データ）をＣＤ−ＲＯＭドライブ１２を通じて読み出し、そしてＩＤＥインターフェース１３を通じてデジタルオーディオトラックデータをＩＤＥインターフェース制御回路１４へ送信する。メモリー１５は、ＩＤＥインターフェース制御回路１４と結合され、ＩＤＥインターフェース制御回路１４からのデジタルオーディオトラックデータを受信し、そして格納する。デジタルシグナルプロセッサー１７は、データを扱うために用いられるだけでなく、ＣＤプレーヤー１０を制御する。デジタルシグナルプロセッサー１７の主な役割は、メモリー１５からデジタルオーディオトラックデータを読み出し、そしてデジタルオーディオトラックデータをＭＰ３形式データに変換することである。ＵＳＢ機器１９は、デジタルシグナルプロセッサー１７と結合され、デジタルシグナルプロセッサー１７により変換されたＭＰ３形式データを受信する。デジタルシグナルプロセッサー１７から出力されたＭＰ３形式データは、メモリーカード１８へ送信される。メモリーカード１８は、ＣＦカード、ＳＤカード、ＭＭＣカード、ＳＭカード、又はＸＤカードであって良い。
【０００７】
ＣＤディスクに格納されたオーディオデータは、未圧縮であり且つより良い音質を有するデジタルデータである。ＣＤディスクに格納されたオーディオデータの欠点は、データ量が大きいことである。特許文献１では、記憶使用率は向上されるが、磁気テープに限られる。図１に示されるように、メモリー１５に格納されたデータ形式は一般的なオーディオトラックデータであり圧縮されていないので、大きなメモリー空間が必要である。ＣＤ形式及びＭＰ３形式を同時に再生可能なオーディオプレーヤーは、今日の市況に見られる。ＣＤ形式及びＭＰ３形式のデータを直接格納するために、高い価格と大きなＩＣ面積をもたらす大きなＳＤＲＡＭが必要である。
【特許文献１】米国特許第７，０１０，２１８号明細書
【特許文献２】台湾特許第M２８６，９６１号明細書
【考案の開示】
【考案が解決しようとする課題】
【０００８】
本考案は、メモリー空間を節約可能なオーディオプレーヤーを提供する。
【課題を解決するための手段】
【０００９】
オーディオプレーヤーは、ロジックブロック、符号器、第１のメモリー、及び復号器を有する。ロジックブロックは、第１の出力端子及び第２の出力端子を有する。ロジックブロックは、オーディオ信号を受信し、オーディオ信号を符号化するか否かを決定し、及びオーディオ信号を第１の出力端子又は第２の出力端子において相応して出力するために用いられる。符号器は、ロジックブロックの第１の出力端子と結合された入力端子を有し、オーディオ信号を受信する。符号器は、符号化データを生成するためにオーディオ信号を符号化するために用いられる。第１のメモリーは、符号化データを格納するために符号器と結合された第１の入力端子を、及びオーディオ信号を格納するためにロジックブロックの第２の出力端子と結合された第２の入力端子を有する。復号器は、第１のメモリーに結合される。復号器は、第１のメモリーに格納された符号化データ又は音声信号を受信し、そして復号化データを生成するために符号化データ又はオーディオ信号を対応する方法で復号するために用いられる。符号器は、第１の符号化方法に従いオーディオ信号を符号化する。また、復号器は、復号化信号を生成するために、第１の符号化方法に従い符号化データを復号する。オーディオ信号は、第２の符号化方法に従い符号化された信号である。また、復号器は、第２の符号化方法に従い復号化信号を生成するために音声信号を復号する。符号器はＭＰ３符号器であり、復号器はＭＰ３復号器である。符号器はＡＤＰＣＭ符号器であり、復号器はＡＤＰＣＭ復号器である。
【００１０】
本発明のこれら及び他の目的は、以下の種々の図及びグラフに説明された好適な実施例の詳細な説明を読むことにより、当業者に明らかである。
【考案を実施するための最良の形態】
【００１１】
図２を参照する。図２は、本考案の実施例によるメモリー空間を節約可能なオーディオプレーヤー２０を示す図である。図２は、一般的なオーディオトラックデータの記憶経路を示す。オーディオプレーヤー２０は、ＣＤディスク１１、ピックアップヘッドＰＵＨ１、アナログフロントエンド回路ＡＦＥ１、ロジックブロック２２、符号器２３、第１のメモリー２４、第２のメモリー２６、復号器２７、デジタルアナログコンバ―ター２８、及びプレーヤー２９を有する。ピックアップヘッドＰＵＨ１は、ＣＤディスク１１のデータを読み出すために用いられる。アナログフロントエンド回路ＡＦＥ１は、ピックアップヘッドＰＵＨ１及びロジックブロック２２と結合される。アナログフロントエンド回路ＡＦＥ１は、受信データをデジタル形式のオーディオ信号に変換し、そしてデジタル形式のオーディオ信号をロジックブロック２２へ送信するために用いられる。ロジックブロック２２は、アナログフロントエンド回路ＡＦＥ１と結合される。ロジックブロック２２は、第１の出力端子２２２及び第２の出力端子（図２に示されない）を有する。ロジックブロック２２は、オーディオ信号を受信し、オーディオ信号を符号化するか否かを決定し、及びオーディオ信号を第１の出力端子２２２又は第２の出力端子（図２に示されない）において相応して出力するために用いられる。受信データが一般的なオーディオトラックデータである場合、データは、符号器２３により符号化されなければならない。符号器２３は、ロジックブロック２２の第１の出力端子２２２と結合された入力端子２３２を有し、一般的なオーディオトラックデータであるオーディオ信号を受信する。符号器２３は、符号化データを生成するために、オーディオ信号を符号化するために用いられる。第１のメモリー２４は、符号器２３と結合された第１の入力端子２４２を有し、符号化データを格納する。第２のメモリー２６は、第１のメモリー２４と結合され、第１のメモリー２４から送信されたデータを格納する。第１のメモリー２４は、バッファーを有する。また第２のメモリー２６は、同期型ダイナミックランダムアクセスメモリー（ＳＤＲＡＭ）である。復号器２７は、第１のメモリー２４と結合され、復号化信号を生成するため、第１のメモリー２４から送信されたデータを相応に復号化するために用いられる（この実施例では、符号化データを相応に復号する）。デジタルアナログコンバーター２８は、復号器２７と結合される。デジタルアナログコンバーター２８は、復号器２７により復号化された復号化信号をアナログ形式の再生信号に変換するために用いられる。プレーヤー２９は、デジタルアナログコンバーター２８と結合され、アナログ形式の再生信号を再生する。符号器２３は、第１の符号化方法に従いオーディオ信号を符号化する。また、復号器２７は、第１の符号化方法に従い符号化データを復号する。例えば、符号器は、ＭＰ３符号器、ＡＤＰＣＭ符号器又は他の種類の符号器であり得る。復号器２７は、符号器２３に対応する復号器を採用しなければならない。例えば、符号化データ又は音声信号が正しく復号化され得るよう、符号器２３はＭＰ３符号器であり、復号器２７はＭＰ３復号器である。
【００１２】
図３を参照する。図３は、本考案の別の実施例によるメモリー空間を節約可能なオーディオプレーヤー３０を示す図である。図３は、ＭＰ３形式データの記憶経路を示す。オーディオプレーヤー３０は、ＣＤディスク１１、ピックアップヘッドＰＵＨ１、アナログフロントエンド回路ＡＦＥ１、ロジックブロック２２、符号器２３、第１のメモリー２４、第２のメモリー２６、復号器２７、デジタルアナログコンバ―ター２８、及びプレーヤー２９を有する。ピックアップヘッドＰＵＨ１は、ＣＤディスク１１のデータを読み出すために用いられる。アナログフロントエンド回路ＡＦＥ１は、ピックアップヘッドＰＵＨ１及びロジックブロック２２と結合される、アナログフロントエンド回路ＡＦＥ１は、受信データをデジタル形式のオーディオ信号に変換し、そしてデジタル形式のオーディオ信号をロジックブロック２２へ送信するために用いられる。ロジックブロック２２は、アナログフロントエンド回路ＡＦＥ１と結合される。ロジックブロック２２は、第１の出力端子（図３に示されない）及び第２の出力端子２２４を有する。ロジックブロック２２は、オーディオ信号を受信し、オーディオ信号を符号化するか否かを決定し、及びオーディオ信号を第１の出力端子（図３に示されない）又は第２の出力端子２２４において相応して出力するために用いられる。受信データがＭＰ３形式データ（又は圧縮データ）である場合、データは、符号器２３により符号化されない。第１のメモリー２４は、ロジックブロック２２の第２の出力端子２２４と結合された第２の入力端子２４４を有し、オーディオ信号をＭＰ３形式で格納する。第２のメモリー２６は、第１のメモリー２４と結合され、第１のメモリー２４から送信されたデータを格納する。第１のメモリー２４は、バッファーを有する。また第２のメモリー２６は、同期型ダイナミックランダムアクセスメモリー（ＳＤＲＡＭ）である。復号器２７は、第１のメモリー２４と結合され、復号化信号を生成するため、第１のメモリー２４から送信されたデータを相応に復号化するために用いられる（この実施例では、音声信号を相応にＭＰ３形式に復号する）。デジタルアナログコンバーター２８は、復号器２７と結合される。デジタルアナログコンバーター２８は、復号器２７により復号化された復号化信号をアナログ形式の再生信号に変換するために用いられる。プレーヤー２９は、デジタルアナログコンバーター２８と結合され、アナログ形式の再生信号を再生する。音声信号が、（ＭＰ３復号化方法のような）第２の符号化方法に従い符号化される場合、復号器２７は、第１の符号化方法に従い符号化データを復号する。例えば、音声信号がＭＰ３形式データである場合、復号器２７は、ＭＰ３復号器でなければならない。音声信号がＷＭＡ形式データである場合、復号器２７は、ＷＭＡ復号器でなければならない。
【００１３】
図２及び図３を参照する。図２に示されるように、音声信号は、より良い音質だが圧縮されていないため大きなデータ量を有する一般的なオーディオトラックデータである。この理由から、音声信号は、より小さいデータ量を有する符号化データを生成するため、先ず符号器２３により符号化される必要がある。符号化データのデータ量は、音声信号より非常に小さく、符号器２３のアルゴリズムが異なると異なる結果を得る。次に、符号化データは、第１のメモリー２４に格納され、第１のメモリー２４の小さい部分のみを占有する。図３に示されるように、音声信号は、ＭＰ３形式データ（又は圧縮データ）であり、符号器２３により符号化される必要がない小さいデータ量を有する。音声信号は、第１のメモリー２４に直接格納され、小さいメモリー空間のみを占有する。第２のメモリー２６は、第１のメモリー２４から送信されたデータを格納するために用いられる。第１のメモリー２４に格納されたデータが小さいので、第２のメモリー２６のメモリーサイズは、低減され得る。例えば、符号化データのデータ量が音声信号のデータ量の２０％まで圧縮された場合、第２のメモリー２６のメモリーサイズは、元のメモリーサイズの５分の１まで低減され得る。第２のメモリー２６のメモリーサイズが同一に保たれ且つ元来１０秒間の耐震（ａｓｅｉｓｍａｔｉｃ）設計を提供し得る場合、本考案は、５０秒間の耐震（ａｓｅｉｓｍａｔｉｃ）設計を提供し、オーディオプレーヤーにより良い耐震（ａｓｅｉｓｍａｔｉｃ）効果を持たせ得る。
【００１４】
上述の実施例は、単に本考案を説明するために提示された。上述の実施例は、本考案の範囲を限定すると見なされるべきではない。上述の符号器２３は、ＭＰ３符号器だけに限定されず、他の種類の符号器であり得る。同様に、復号器２７は、ＭＰ３復号器だけに限定されないが、符号器２３の種類に対応するべきである。第１のメモリー２４は、バッファーに限定されない。及び、第２のメモリー２６は、ＳＤＲＡＭだけに限定されない。また上述のメモリーを実施するために他の要素も利用されて良い。本考案は、ＣＤ形式及びＭＰ３形式の両者を同時に有するオーディオ経路に適用される。
【００１５】
上述の説明から、本考案は、メモリー空間を節約可能なオーディオプレーヤー２０及び３０を提供する。本考案の目的は、非符号化音声信号が符号器２３により圧縮され、そして第２のメモリーに格納され、メモリー空間を節約しチップ面積を削減することである。このように、非常に多くのチップ面積を消費する問題は解決され、そして本考案のオーディオプレーヤーを利用することにより製品の品質は向上され得る。更に、本考案のオーディオプレーヤーは、広く知られたアプリケーションを提供し得るＣＤ形式及びＭＰ３形式の両者を同時に有するオーディオ経路に適用される。
【００１６】
当業者は、本発明の教示を守りつつ、装置及び方法の多くの変形及び代替がなされ得ることを直ちに理解するだろう。従って、以上の開示は、特許請求の範囲の境界及び範囲によってのみ限定されると見なされるべきである。
【図面の簡単な説明】
【００１７】
【図１】従来技術のＭＰ３変換機能を設けられたＣＤプレーヤーのブロック図である。
【図２】本考案の実施例によるメモリー空間を節約可能なオーディオプレーヤーを示す図である。
【図３】本考案の別の実施例によるメモリー空間を節約可能なオーディオプレーヤーを示す図である。
【符号の説明】
【００１８】
１１  ディスク
ＰＵＨ１  ピックアップヘッド
ＡＦＥ１  アナログフロントエンド回路
２２  ロジックブロック
２３  符号器
２４  第１のメモリー
２６  第２のメモリー
２７  復号器
２８  デジタルアナログコンバーター
２９  プレーヤー
【図１】
0003130747.tif 000003
【図２】
0003130747.tif 000004
【図３】
0003130747.tif 000005